(57)【要約】【課題】任意の時刻に録画を開始した場合でも有効な時刻にチャプタを付けることができ、使い勝手の良い映像音声記録装置を提供することである。【解決手段】映像音声記録装置は、録画を開始すると、ユーザにより予め選択されたチャプタを付ける時間間隔の情報を取得し、チャプタを付ける時刻として、毎時０分と、毎時０分から前記時間間隔毎の時刻とを算出し、前記算出した時刻をチャプタ情報として前記メモリに記憶し、録画が終了すると、前記チャプタ情報を記録媒体に書き込む構成とする。【選択図】図１
2008010996.tif 000002
【特許請求の範囲】
【請求項１】
ＨＤＤ記録再生部及び／又はＤＶＤ記録再生部と、アンテナで受信したテレビ放送信号を復調、デジタル化するチューナと、該チューナから受け取った画像音声データを圧縮符号化したり、前記ＨＤＤ記録再生部又は前記ＤＶＤ記録再生部で再生された圧縮された画像データを伸長復号したりする画像音声圧縮伸長部と、各種設定値を表示装置の一部に表示しながら設定できるようにするＯＳＤ部と、該ＯＳＤ部からの画像信号をアナログ化し、表示装置へ出力する画像出力部と、前記画像音声圧縮伸長部からの音声信号をアナログ化し、表示装置へ出力する音声出力部と、ＲＯＭやＲＡＭからなるメモリと、各部を制御するとともに、録画したコンテンツにチャプタを付ける制御を行う制御部とを備えた映像音声記録装置において、
録画を開始すると、ユーザにより予め選択されたチャプタを付ける時間間隔の情報を取得し、
チャプタを付ける時刻として、毎時０分と、毎時０分から前記時間間隔毎の時刻とを算出し、
前記算出した時刻をチャプタ情報として前記メモリに記憶し、
録画が終了すると、前記チャプタ情報を記録媒体に書き込むことを特徴とする映像音声記録装置。
【請求項２】
録画したコンテンツにチャプタを付けるチャプタ機能を備えた映像音声記録装置において、
所定の時刻にチャプタを付けることを特徴とする映像音声記録装置。
【請求項３】
毎時０分と、毎時０分から所定の時間間隔毎とにチャプタを付けることを特徴とする請求項２記載の映像音声記録装置。
【発明の詳細な説明】
【技術分野】
【０００１】
本発明は、録画したコンテンツにチャプタを付けるチャプタ機能を備えた映像音声記録装置に関する。
【背景技術】
【０００２】
家庭で番組の録画に用いられる映像音声記録装置には、ビデオカセットレコーダやＤＶＤ等の光ディスク装置やハードディスクレコーダがある。またこれらの機器を１つの筐体に組み込んだ複合機もあり、例えば、ハードディスクドライブ一体型光ディスク装置などがある。
【０００３】
映像音声記録装置のうち、光ディスク装置やハードディスクレコーダには、録画した映像に好きなタイトルを付けたり、映像を確認しながらチャプタの位置を所望の位置に設定し、ユーザが編集や映像の管理に役立てる機能が備えられている。
【０００４】
タイトルとは、ユーザが記録した映像を管理するためのもので、例えば異なる時間に予約録画した映像にそれぞれタイトルを付けて分けることで、１つの記録媒体中で複数のコンテンツを管理することができる。またチャプタとは、タイトルに記録されている内容を区分けする単位であってユーザによるアクセス単位の１つである。
【０００５】
そして、チャプタは所望の位置に付けることができるため、ユーザが手動で付けたり、装置が自動で付けたりする様々な手法が提案されている。例えば特許文献１には、従来、映像情報を含んだコンテンツ情報とチャプタ情報とは１対１の関係であったが、両者を独立管理することでチャプタ情報を自在に編集したり別のコンテンツ情報に再利用させることを容易に可能にしたチャプタ情報の管理方法が開示されている。
【０００６】
また特許文献２には、ディスクにコンテンツデータを記録中に、各種規格およびビットレートによらずに、自動的に適切な等間隔のチャプタ位置を設定することができるチャプタ位置設定方法およびディスク記録装置が開示されている。
【０００７】
また特許文献３には、チャプタで画像を抽出する間隔を５分間隔、１０分間隔、１５分間隔に設定できる記録装置及び記録方法が開示されている。
【特許文献１】特開２００５−２１７８７５号公報
【特許文献２】特開２００４−３２０１５４号公報
【特許文献３】特開２００４−２６０４５２号公報
【発明の開示】
【発明が解決しようとする課題】
【０００８】
ところで、ＯＴＲ（ワンタッチレコード）など予約録画機能以外の方法で適当な時刻に録画を開始した場合、特許文献２又は特許文献３の技術によれば、録画を開始した時刻を基準に等間隔でチャプタが付けられることになる。例えば３時４７分にＯＴＲを開始した場合であって１０分毎にチャプタを付けると、３時５７分、４時７分、・・・というように区切られていく。
【０００９】
一般にチャプタを用いて検索する場合、番組の最初を頭出しすることが望まれる。通常、番組は０分から始まることが多いので上記のＯＴＲの例では４時０分を頭出しすることが望まれる。しかし、チャプタは３時５７分の次に４時７分となっており、４時０分にチャプタは付けられていない。４時０分にチャプタを付けるには手動で付けなければならない。しかし、手動でチャプタを付けるには手間が掛かるので、一回しか視聴しない番組には手動でチャプタを付けることはほとんどないと考えられる。
【００１０】
また特許文献１はチャプタ情報を独立管理するものであり、チャプタの付け方に新たな技術は開示されていない。
【００１１】
このように、従来のチャプタの付け方によれば、任意の時刻に録画を開始した場合に、自動で有効な時刻にチャプタを付けられず、使い勝手が悪いという問題が残る。
【００１２】
本発明は、任意の時刻に録画を開始した場合でも有効な時刻にチャプタを付けることができ、使い勝手の良い映像音声記録装置を提供することを目的とする。
【課題を解決するための手段】
【００１３】
上記目的を達成するために本発明は、録画したコンテンツにチャプタを付けるチャプタ機能を備えた映像音声記録装置において、
所定の時刻にチャプタを付けることを特徴とする。
【００１４】
この構成によると、ＯＴＲなどで任意の時刻に録画を開始した場合に、所定の時刻にチャプタが付けられる。
【００１５】
上記の映像音声記録装置において、毎時０分と、毎時０分から所定の時間間隔毎とにチャプタを付けることが望ましい。
【００１６】
一般にチャプタを用いて検索する場合、番組の最初を頭出しすることが望まれる。通常、番組は０分から始まることが多いので毎時０分にチャプタを付けることにより、使い勝手が向上する。
【００１７】
本発明を具体化すると、ＨＤＤ記録再生部及び／又はＤＶＤ記録再生部と、アンテナで受信したテレビ放送信号を復調、デジタル化するチューナと、該チューナから受け取った画像音声データを圧縮符号化したり、前記ＨＤＤ記録再生部又は前記ＤＶＤ記録再生部で再生された圧縮された画像データを伸長復号したりする画像音声圧縮伸長部と、各種設定値を表示装置の一部に表示しながら設定できるようにするＯＳＤ部と、該ＯＳＤ部からの画像信号をアナログ化し、表示装置へ出力する画像出力部と、前記画像音声圧縮伸長部からの音声信号をアナログ化し、表示装置へ出力する音声出力部と、ＲＯＭやＲＡＭからなるメモリと、各部を制御するとともに、録画したコンテンツにチャプタを付ける制御を行う制御部とを備えた映像音声記録装置において、録画を開始すると、ユーザにより予め選択されたチャプタを付ける時間間隔の情報を取得し、チャプタを付ける時刻として、毎時０分と、毎時０分から前記時間間隔毎の時刻とを算出し、前記算出した時刻をチャプタ情報として前記メモリに記憶し、録画が終了すると、前記チャプタ情報を記録媒体に書き込む構成となる。
【発明の効果】
【００１８】
本発明によると、所定の時刻にチャプタを付けることにより、任意の時刻に録画を開始した場合でも、毎時０分など検索に有効な時刻にチャプタを付けることができ、使い勝手が向上する。
【発明を実施するための最良の形態】
【００１９】
以下、映像音声記録装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の映像音声記録装置に代表される外部装置１２とが接続されている。またＨＤＤ一体型光ディスク装置１０は、リモコン１３によって操作可能である。以下では、光ディスクとしてＤＶＤを例に説明する。
【００２０】
ＨＤＤ一体型光ディスク装置１０は、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００２１】
また、制御部２６は、自動でチャプタを付ける制御も行う。自動でチャプタを付ける方法としては、録画を開始した時刻を基準に等間隔でチャプタを付ける方法（以下、間隔チャプタと呼ぶ）が従来より一般的に用いられている。更に本発明では毎時０分を基準に等間隔でチャプタを付けるなど所定の時刻にチャプタを付ける方法（以下、時刻チャプタと呼ぶ）を提案する。以下にチャプタの付け方について詳細に説明する。
【００２２】
まず、リモコン１３やＨＤＤ一体型光ディスク装置１０の操作パネル（不図示）がユーザにより操作され、メニュー画面でチャプタの設定が選択されると、図２のようなチャプタ設定画面３０を表示装置１１に表示する。このチャプタ設定画面３０には、間隔チャプタ、時刻チャプタ、ＯＦＦが表示され、何れかにカーソル３１を合わせて決定キー（不図示）を押下することにより選択可能となっている。また、現在設定されている項目（図２では間隔チャプタ）に丸印３２が付されている。
【００２３】
間隔チャプタ及び時刻チャプタは上述した方法により録画したコンテンツにチャプタを付ける設定であり、ＯＦＦは録画したコンテンツにチャプタを付けない設定である。ここでＯＦＦが選択されると現在の設定をＯＦＦに切り替えた後、チャプタの設定を終了する。
【００２４】
一方、間隔チャプタ又は時刻チャプタが選択されると、チャプタを付ける時間間隔の設定を促す画面を表示装置１１に表示する。図３に、時間間隔設定画面４０の一例を示す。この時間間隔設定画面４０には、チャプタを付ける時間間隔として１０分、１５分、３０分、６０分が表示され、何れかにカーソル３１を合わせて決定キー（不図示）を押下することにより選択可能となっている。なお、時間間隔は上記以外の間隔を採用してもよい。また、現在設定されている項目（図３では１０分）に丸印３２が付されている。
【００２５】
時間間隔設定画面４０で選択する時間間隔の意味は、チャプタ設定画面３０で間隔チャプタが選択されたか時刻チャプタが選択されたかにより異なる。チャプタ設定画面３０で間隔チャプタが選択された場合、時間間隔設定画面４０で選択される時間間隔は、録画を開始した時刻を基準に等間隔でチャプタを付ける際の時間間隔を意味している。例えば、時間間隔設定画面４０で１０分が選択された後、３時４７分にＯＴＲを開始した場合、３時４７分を基準として１０分毎にチャプタが付けられる。つまり、３時５７分、４時７分、・・・というように区切られていく。
【００２６】
一方、チャプタ設定画面３０で時刻チャプタが選択された場合、時間間隔設定画面４０で選択される時間間隔は、毎時０分を基準に等間隔でチャプタを付ける際の時間間隔を意味している。例えば、時間間隔設定画面４０で１０分が選択された後、３時４７分にＯＴＲを開始した場合、３時０分を基準として１０分毎にチャプタが付けられる。つまり、３時５０分、４時０分、４時１０分、・・・というように区切られていく。
【００２７】
一般にチャプタを用いて検索する場合、番組の最初を頭出しすることが望まれる。通常、番組は０分から始まることが多いので上記のＯＴＲの例では４時０分を頭出しすることが望まれる。しかし、間隔チャプタでチャプタを付けた場合は、３時５７分の次に４時７分となっており、４時０分にチャプタは付けられていない。一方、時刻チャプタでチャプタを付けた場合、４時０分にチャプタが付けられている。従って、時刻チャプタを用いれば、任意の時刻に録画を開始した場合でも、毎時０分など検索に有効な時刻にチャプタを付けることができ、使い勝手が向上する。
【００２８】
次に、チャプタを付ける際のＨＤＤ一体型光ディスク装置１０の動作について説明する。図４は、録画を開始した場合のＨＤＤ一体型光ディスク装置１０の動作を示すフローチャートである。リモコン１３やＨＤＤ一体型光ディスク装置１０の操作パネル（不図示）がユーザにより操作され、ＯＴＲなど録画開始の指示があると、それに従ってＤＶＤやＨＤＤに録画を開始する。
【００２９】
録画を開始すると、ステップＳ１０において、現在のチャプタ設定が間隔チャプタであるか否かを判別する。現在のチャプタ設定が間隔チャプタである場合は、ステップＳ１１へ進んで録画が終了するまで待つ。そしてユーザの操作などにより録画停止の指示があると録画が終了する。録画が終了すればステップＳ１２へ進んで、上述した時間間隔設定画面４０で選択された時間間隔の情報を取得し、ステップＳ１３へ進んでチャプタ情報を含む管理情報を作成する。続いてステップＳ１４へ進んで、作成された管理情報を録画した記録媒体に書き込み、処理を終了する。
【００３０】
これにより、録画したコンテンツに録画開始時刻を基準として所定の時間間隔でチャプタを付けることができる。
【００３１】
一方、ステップＳ１０において現在のチャプタ設定が間隔チャプタでないと判別した場合は、ステップＳ１６へ進んで現在のチャプタ設定が時刻チャプタであるか否かを判別する。ステップＳ１６において現在のチャプタ設定が時刻チャプタでない場合は、チャプタ設定がＯＦＦであると判断してチャプタを付ける処理を終了する。
【００３２】
他方、ステップＳ１６において現在のチャプタ設定が時刻チャプタである場合は、ステップＳ１７へ進んで上述した時間間隔設定画面４０で選択された時間間隔の情報を取得し、ステップＳ１８へ進んでチャプタを付ける時刻を算出する。ここで、チャプタを付ける時刻とは、毎時０分を基準に時間間隔設定画面４０で選択された時間間隔で区分けした時刻のことである。ステップＳ１８からステップＳ１９へ進んで算出した時刻をメモリ２３に記憶する。
【００３３】
その後ステップＳ２０へ進んで録画が終了するまで待つ。そしてユーザの操作などにより録画停止の指示があると録画が終了する。録画が終了すればステップＳ２１へ進んでチャプタ情報を含む管理情報を作成する。続いてステップＳ１４へ進んで、作成された管理情報を録画した記録媒体に書き込み、処理を終了する。
【００３４】
これにより、録画したコンテンツに毎時０分を基準として所定の時間間隔でチャプタを付けることができる。
【産業上の利用可能性】
【００３５】
本発明は、ＤＶＤ等の光ディスク装置やハードディスクレコーダなどチャプタ機能を備えた映像音声記録装置に利用することができ、また、複数の映像音声記録装置を１つの筐体に組み込んだ複合機、例えばハードディスクドライブ一体型光ディスク装置等にも利用することができる。
【図面の簡単な説明】
【００３６】
【図１】本発明のＨＤＤ一体型光ディスク装置の構成及びその周辺機器を示すブロック図である。
【図２】チャプタ設定画面の一例を示す図である。
【図３】時間間隔設定画面の一例を示す図である。
【図４】録画を開始した場合のＨＤＤ一体型光ディスク装置の動作を示すフローチャートである。
【符号の説明】
【００３７】
１０    ＨＤＤ一体型光ディスク装置（映像音声記録装置）
１１    表示装置
１５    アンテナ
１６    チューナ
１７    画像音声圧縮伸長部
１８    ＨＤＤ記録再生部
１９    ＤＶＤ記録再生部
２０    ＯＳＤ部
２１    画像出力部
２２    音声出力部
２３    メモリ
２６    制御部
【図１】
2008010996.tif 000003
【図２】
2008010996.tif 000004
【図３】
2008010996.tif 000005
【図４】
2008010996.tif 000006